(57)【要約】      （修正有）【課題】広告用紙等と共に提供される紙おしぼりにおいて、紙おしぼりを簡単に取り出すことができ、安価な提供が可能なポケット付紙おしぼりを提供する。【解決手段】矩形状フィルムで帯状の封止部を有する筒形状の収納袋体１を設ける。紙おしぼり２を折り畳んだ状態で収納袋体１に収納する。矩形状フィルムの一端部を前記封止部に溶着する被覆片３を形成する。被覆片３の他端部がわで前記収納袋体１の表面を被覆する。収納袋体１の開口した両端部を被覆片３の両端部と共に溶着する。帯状を成した一対の引裂き縁部１Ｂとポケット４とを一体に設ける。ポケット４内に差し込み収納するメッセージ用紙５を設ける。【選択図】図１
0003180575.tif 000002
【実用新案登録請求の範囲】
【請求項１】
矩形状フィルムの対向する側縁を合掌状に溶着して帯状の封止部を設け、該封止部が裏面に配置された筒形状の収納袋体と、
該収納袋体の内部に折り畳まれた状態で収納される紙おしぼりと、
矩形状フィルムの一端部が前記封止部に溶着され他端部がわが前記収納袋体の表面を被覆してポケットを形成する被覆片と、
該ポケット内に差し込み収納するメッセージ用紙とで構成され、
前記収納袋体の開口した両端部と前記被覆片の両端部とが共に溶着され、
帯状に形成された一対の引裂き縁部と前記ポケットとが一体に設けられたことを特徴とするポケット付紙おしぼり。
【請求項２】
前記ポケットは、透明な前記被覆片にて形成され、前記メッセージ用紙は収納時に見えるように構成した請求項１記載のポケット付紙おしぼり。
【請求項３】
前記ポケットは、不透明な前記被覆片にて形成され、前記メッセージ用紙は前記被覆片が前記引裂き縁部から引き裂かれたときに現れるように構成した請求項１記載のポケット付紙おしぼり。
【考案の詳細な説明】
【技術分野】
【０００１】
本考案は、紙おしぼりを収納した袋に広告用紙等を差し込むポケットを備え、この広告用紙等を紙おしぼりと共に提供することができるポケット付紙おしぼりに関する。
【背景技術】
【０００２】
従来の紙おしぼりとして、特許文献１に記載のポケット型紙おしぼりが提案されている。この紙おしぼりは、紙おしぼりを収納する紙おしぼり包装物と、この紙おしぼり包装物を収納する別の包装袋とを備えたもので、包装袋の中に紙おしぼり包装物と広告シートを収納するように構成したものである。
【先行技術文献】
【特許文献】
【０００３】
【特許文献１】特許第４３９５０７９号公報
【考案の概要】
【考案が解決しようとする課題】
【０００４】
特許文献１に記載の紙おしぼりを使用するには、包装物の中から紙おしぼり包装物を取り出し、次に、この紙おしぼり包装物の中から紙おしぼりを取り出して使用するといった二重の手間を要するものであった。
【０００５】
しかも、包装物には蓋部が設けられており、包装物の中から紙おしぼり包装物を取り出すには、この蓋部を開けて取り出す構成を採用しているので、包装物の構成が複雑になり、製造コストが高くなる不都合もある。
【０００６】
そこで、本考案は、広告用紙等と共に提供される紙おしぼりにおいて、紙おしぼりを簡単に取り出すことができ、しかも、安価な提供が可能なポケット付紙おしぼりの提供を目的とするものである。
【課題を解決するための手段】
【０００７】
上述の目的を達成すべく本考案における第１の手段は、矩形状フィルムの対向する側縁を合掌状に溶着して帯状の封止部１Ａを設け、該封止部１Ａが裏面に配置された筒形状の収納袋体１と、該収納袋体１の内部に折り畳まれた状態で収納される紙おしぼり２と、矩形状フィルムの一端部が前記封止部１Ａに溶着され他端部がわが前記収納袋体１の表面を被覆してポケット４を形成する被覆片３と、該ポケット４内に差し込み収納するメッセージ用紙５とで構成され、前記収納袋体１の開口した両端部と前記被覆片３の両端部とが共に溶着され、帯状に形成された一対の引裂き縁部１Ｂと前記ポケット４とが一体に設けられたことにある。
【０００８】
第２の手段において、前記ポケット４は、透明な前記被覆片３にて形成され、前記メッセージ用紙５は収納時に見えるように構成したものである。
【０００９】
第３の手段の前記ポケット４は、不透明な前記被覆片３にて形成され、前記メッセージ用紙５は前記被覆片３が前記引裂き縁部１Ｂから引き裂かれたときに現れるように構成したものである。
【考案の効果】
【００１０】
本考案の請求項１によると、収納袋体１の開口した両端部を被覆片３の両端部と共に溶着し、帯状を成した一対の引裂き縁部１Ｂとポケット４とを一体に設けたことにより、紙おしぼりを簡単に取り出すことができ、しかも、安価な提供が可能になった。
【００１１】
請求項２の如く、ポケット４は、透明な前記被覆片３にて形成され、メッセージ用紙５は収納時に見えるように構成したことで、宣伝広告に適した使用が可能になる。
【００１２】
請求項３のように、ポケット４は、不透明な被覆片３にて形成され、メッセージ用紙５は被覆片３が引裂き縁部１Ｂから引き裂かれたときに現れるように構成することで、例えばメッセージ用紙５を当たりくじやおみくじなどに使用することが可能になり、メッセージ用紙５の利用範囲が広がる利点がある。
【図面の簡単な説明】
【００１３】
【図１】本考案紙おしぼりの一実施例を示す分解斜視図である
【図２】本考案紙おしぼりの一実施例を示す正面図である
【図３】本考案紙おしぼりの一実施例を示す背面図である。
【図４】本考案紙おしぼりの一実施例を示す断面図である。
【図５】本考案の収納袋体と被覆片とを示す概略断面図である。
【考案を実施するための形態】
【００１４】
このように本考案によると、広告用紙等と共に提供される紙おしぼりにおいて、紙おしぼりを簡単に取り出すことができ、しかも、安価な提供が可能になるといった当初の目的を実現した。
【００１５】
以下、本考案の実施例を説明する。本考案紙おしぼりは、合成樹脂製のフィルムで形成された収納袋体１に収納され、この収納袋体１にメッセージ用紙５を収納するポケット４を形成したものである（図１参照）。
【００１６】
収納袋体１は、矩形状フィルムの対向する側縁が合掌状に溶着された帯状の封止部１Ａを有する筒形状をなす（図５参照）。紙おしぼり２は、この収納袋体１の内部に折り畳まれた状態で１枚又は複数枚収納されるものである。
【００１７】
メッセージ用紙５を収納するポケット４は、合成樹脂製の矩形状フィルムで形成された被覆片３にて形成される（図５参照）。この被覆片３は、一端部が封止部１Ａに溶着されており、他端部がわが収納袋体１の表面を被覆するように設けている。図示の封止部１Ａは、前記収納袋体１の後面中央に沿って設けられている（図３参照）。そして、収納袋体１の開口した両端部を被覆片３の両端部と共に溶着することで、収納袋体１の前面にポケット４が形成されるものである（図１参照）。
【００１８】
また、ポケット４の形成と同時に、収納袋体１の両端部に、帯状を成した一対の引裂き縁部１Ｂも形成されている（図２参照）。この引裂き縁部１Ｂは、収納袋体１とポケット４を形成する被覆片３とが同時に引裂かれるように帯状に設けたものである。図示例では、引裂き方向に沿った多数の圧着線１Ｂａが設けられている。
【００１９】
メッセージ用紙５は、主に宣伝・広告用のカード状の用紙が使用される（図１参照）。また、このほか、当たりくじやおみくじ、ポイントカードなど特定者に何らかの情報を知らせる特殊なカードなどをメッセージ用紙５として使用することも可能である。
【００２０】
本考案紙おしぼりを使用するには、収納袋体１のいずれか一方の引裂き縁部１Ｂを手指で引裂くことで、紙おしぼり２を取り出すことができる。このとき、ポケット４を形成している被覆片３も同時に破れるので、メッセージ用紙５もポケット４から容易に取り出すことが可能になる（図２参照）。したがって、被覆片３を透明にすると収納したメッセージ用紙５が見えるので、広告宣伝用のメッセージ用紙５を収納する。また、不透明な被覆片３を使用した場合は、被覆片３を破ったときにメッセージ用紙５の表示が現れるように構成することも可能である（図示せず）。
【００２１】
尚、本考案は、図示例に限定される物ではなく、本考案の収納袋体１や被覆片３の形状や寸法、あるいは収納袋体１に収納する紙おしぼり２の形態や数量等は、本考案の要旨を変更しない範囲において自由に変更できるものである。更に、本考案では、収納袋体１に紙おしぼりを収納するように記載しているが、紙おしぼり２に代えてティッシュペーパーなどを収納することも可能である。
【符号の説明】
【００２２】
１  収納袋体
１Ａ  封止部
１Ｂ  引裂き縁部
１Ｂａ  圧着線
２  紙おしぼり
３  被覆片
４  ポケット
５  メッセージ用紙
【図１】
0003180575.tif 000003
【図２】
0003180575.tif 000004
【図３】
0003180575.tif 000005
【図４】
0003180575.tif 000006
【図５】
0003180575.tif 000007